(57)【要約】【課題】斜め投写の構成をとる投写型表示装置を縦置き設置する際に、ユーザに手間を掛けさせることなく、安定した設置を可能とすることを目的とする。【解決手段】プロジェクタは、本体キャビネット１と、光変調ユニット１５と、光変調ユニット１５と、投写光学ユニット１７とを備える。投写光学ユニット１７は、投写レンズユニット１０１と、反射ミラー１０２とにより構成されるとともに、反射ミラー１０２は、投写レンズユニット１０１の光軸Ｌから本体キャビネット１の底面側にシフトするように配置される。投写レンズユニット１０１と反射ミラー１０２との位置のずれによって生じる空間Ｓには、メイン制御回路基板２１０と、光変調ユニット１５および投写光学ユニット１７を本体キャビネット１に対して支持しつつ、その内部にメイン制御基板２１０を保持する金属製のホルダ２５０と、が配置される。【選択図】図３
2011237727.tif 000002
【特許請求の範囲】
【請求項１】
投写型表示装置において、
本体キャビネットと、
前記本体キャビネットの一つの側面に偏った位置に配されるとともに光源からの光を変調して前記側面から離される方向に導く光変調部と、
前記光変調部により変調された光を拡大投写する投写部と、
を備え、
前記投写部は、前記光変調部からの光が入射する投写レンズ部と、当該投写レンズ部を透過した光を反射して被投写面へと向かわせるミラー部とにより構成されるとともに、前記ミラー部は、前記投写レンズ部から入射する光を折り返す方向と逆方向に、前記投写レンズ部の光軸からシフトするように配置され、
前記投写レンズ部と前記ミラー部との位置のずれによって前記投写レンズ部と前記本体キャビネットとの間に生じる空間には、制御回路部と、前記光変調部および前記投写部を前記本体キャビネットに対して支持しつつ、その内部に前記制御回路部を保持する金属製の保持部材と、が配置される、
ことを特徴とする投写型表示装置。
【請求項２】
請求項１に記載の投写型表示装置において、
前記光変調部には、当該光変調部にて発生した熱を放出するためのヒートシンクが設けられる、
ことを特徴とする投写型表示装置。
【請求項３】
請求項１または２に記載の投写型表示装置において、
前記保持部材の内部には、前記光変調部へ送風するための送風部が配置される、
ことを特徴とする投写型表示装置。
【発明の詳細な説明】
【技術分野】
【０００１】
本発明は、光源からの光を光変調素子によって変調し、被投写面に拡大投写する投写型表示装置に関し、特に、光変調素子上の画像を投写レンズ部とミラー部の間に中間像として結像させ、この中間像をミラー部によって拡大投写する投写型表示装置に関する。
【背景技術】
【０００２】
従来、液晶プロジェクタ等の投写型表示装置（以下、「プロジェクタ」という）において、スクリーンとプロジェクタの距離を短くするために、投写光学系の広角化が図られている。また、かかる広角化とともに、プロジェクタから出射される投写光を斜め方向からスクリーンに投写させる、斜め投写の構成をとるプロジェクタが提案されている。
【０００３】
かかる構成のプロジェクタでは、たとえば、投写光学系として投写レンズユニットと反射ミラーが用いられ得る。この構成では、光変調素子上の画像が投写レンズユニットと反射ミラーの間に中間像として結像され、この中間像が反射ミラーによって拡大投写される。これにより、投写距離の短縮が実現されている。
【０００４】
上記プロジェクタでは、種々の設置形態がとられ得る。たとえば、プロジェクタ本体が机や床等の設置面に設置される設置形態（いわゆる、据え置き設置）やプロジェクタ本体が上下逆さまにされて天井に設置される設置形態（いわゆる、天吊り設置）がとられ得る。これらの設置形態では、設置面や天井に対して垂直に設けられた被投写面（スクリーン等）に画像が投写される。
【０００５】
この他、上記プロジェクタでは、プロジェクタ本体が設置面に立つように縦置きされて設置される設置形態（以下、この設置形態を「縦置き設置」と称する）がとられ得る。縦置き設置がなされた場合には、反射ミラーがプロジェクタ本体の上方に位置し、反射ミラーによる反射によって設置面自身に画像が投写される（たとえば、特許文献１参照）。
【０００６】
上記プロジェクタでは、反射ミラーが、投写レンズユニットから入射する光を折り返す方向と逆方向に、投写レンズユニットの光軸からシフトするように配置されている。このため、プロジェクタ本体は、反射ミラーがシフトする方向（以下、「シフト方向」という）において、反射ミラー側の外面が投写レンズユニット側の外面に対して突出した形状を有している。また、上記プロジェクタでは、反射ミラーの重量が比較的大きくなっている。
【０００７】
よって、プロジェクタが縦置き設置される際には、シフト方向における重心の位置が反射ミラー側の側面方向に大きく寄るとともに、上下方向における重心の位置が高くなり、プロジェクタ本体がシフト方向に転倒しやすかった。そこで、プロジェクタを安定して支持するため、専用のスタンドがプロジェクタ本体に装着されていた。
【先行技術文献】
【特許文献】
【０００８】
【特許文献１】特開２００８−２５０２８３号公報
【発明の概要】
【発明が解決しようとする課題】
【０００９】
しかしながら、プロジェクタが縦置き設置される際、ユーザには、専用のスタンドを装着するなどの手間が、できる限り掛からないことが望ましい。
【００１０】
本発明は、このような課題に鑑みてなされたものであり、斜め投写の構成をとる投写型表示装置を縦置き設置する際に、ユーザに手間を掛けさせることなく、安定した設置を可能とすることを目的とする。
【課題を解決するための手段】
【００１１】
本発明の投写型表示装置は、本体キャビネットと、前記本体キャビネットの一つの側面に偏った位置に配されるとともに光源からの光を変調して前記側面から離される方向に導く光変調部と、前記光変調部により変調された光を拡大投写する投写部とを備える。ここで、前記投写部は、前記光変調部からの光が入射する投写レンズ部と、当該投写レンズ部を透過した光を反射して被投写面へと向かわせるミラー部とにより構成されるとともに、前記ミラー部は、前記投写レンズ部から入射する光を折り返す方向と逆方向に、前記投写レンズ部の光軸からシフトするように配置される。さらに、前記投写レンズ部と前記ミラー部との位置のずれによって前記投写レンズ部と前記本体キャビネットとの間に生じる空間には、制御回路部と、前記光変調部および前記投写部を前記本体キャビネットに対して支持しつつ、その内部に前記制御回路部を保持する金属製の保持部材と、が配置される。
【００１２】
本発明の投写型表示装置によれば、ミラー部が投写レンズ部の光軸からシフトして配置されることにより投写レンズ部と本体キャビネットとの間に生じる空間に、制御回路部および保持部材を配置するようにしたので、ミラー部が配置された側とは反対側の本体部分の幅を、ミラー部のシフト方向に広くすることができ、かつ、この部分の重量を大きくすることができる。これにより、投写型表示装置が縦置き設置された際に、設置される側の側面の幅を広げることができるとともに、上下方向の重心位置を低くすることができる。
【００１３】
したがって、専用のスタンド等を用いなくとも、安定した縦置き設置が可能となる。
【００１４】
本発明の投写型表示装置において、前記光変調部には、当該光変調部にて発生した熱を放出するためのヒートシンクが設けられ得る。
【００１５】
このような構成とすれば、ミラー部が配置された側とは反対側の本体部分の重量を一層大きくできるので、縦置き設置がなされた際に、上下方向の重心位置を一層低くすることができる。
【００１６】
本発明の投写型表示装置において、前記保持部材の内部には、前記光変調部へ送風するための送風部が配置され得る。
【００１７】
このような構成とすれば、ミラー部が配置された側とは反対側の本体部分の重量をさらに一層大きくできるので、縦置き設置がなされた際に、上下方向の重心位置をさらに一層低くすることができる。
【発明の効果】
【００１８】
以上のとおり、本発明によれば、斜め投写の構成をとる投写型表示装置を縦置き設置する際に、ユーザに手間を掛けさせることなく、安定した設置が可能となる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】実施の形態に係るプロジェクタの外観構成を示す図（斜視図）である。
【図２】実施の形態に係るプロジェクタの外観構成を示す図（底面図）である。
【図３】実施の形態に係るプロジェクタの内部構造を示す図である。
【図４】実施の形態に係る投写光学ユニットの構成を模式的に示す図である。
【図５】実施の形態に係る制御回路ユニットの構成を示す図である。
【図６】実施の形態に係る制御回路ユニットの構成を示す図である。
【図７】実施の形態に係る制御回路ユニットの構成を示す図である。
【図８】実施の形態に係る光学ユニットの構成を示す図である。
【図９】実施の形態に係る光学ユニットが取り付けられる前の本体キャビネットの状態を示す図である。
【図１０】実施の形態に係るプロジェクタが縦置き設置された状態を示す図である。
【発明を実施するための形態】
【００２１】
以下、図面を参照して、本発明の実施の形態について説明する。
【００２２】
図１および図２は、プロジェクタの外観構成を示す図である。図１（ａ）は、前方から見たプロジェクタの斜視図であり、図１（ｂ）は後方から見たプロジェクタの斜視図である。また、図２は、プロジェクタの底面図である。なお、説明の便宜上、図１（ａ）、（ｂ）および図２には、ぞれぞれ、前後左右の方向を示す矢印が描かれている。以下、同様に、他の図面においても、必要に応じて、前後左右の方向を示す矢印が描かれる。
【００２３】
本実施の形態のプロジェクタは、いわゆる短焦点投写型のプロジェクタである。図１を参照して、プロジェクタは、略直方体形状を有する本体キャビネット１を備えている。本体キャビネット１は、下キャビネット２と、下キャビネット２に上方から被せられる上キャビネット３とで構成されている。
【００２４】
本体キャビネット１の上面には、後方に向けて下る第１傾斜面１ａと、この第１傾斜面１ａに続いて後方に向けて上る第２傾斜面１ｂが形成されている。第２傾斜面１ｂは上斜め前方を向いており、この第２傾斜面１ｂに投写口４が形成されている。投写口４から上斜め前方へ出射された映像光が、プロジェクタの前方に配されたスクリーンに拡大投写される。
【００２５】
また、本体キャビネット１の上面には、ランプ用カバー５が設けられている。本体キャビネット１の上面には、ランプユニットを交換するためのランプ用開口と、ランプユニットを冷却するファンユニットに配されたフィルタを交換するためのフィルタ開口が形成されている。ランプ用カバー５は、これらランプ用開口およびフィルタ用開口を覆うためのカバーである。さらに、本体キャビネット１の上面には、複数の操作キーからなる操作部６が設けられている。
【００２６】
本体キャビネット１の右側面には、端子口部７が形成されている。端子口部７には、ＡＶ端子等の各種の端子を有する端子パネル２４０が配されている。端子パネル２４０は、後述する制御回路ユニットの一部を構成する。プロジェクタには、ＡＶ端子を通じて、映像信号や音声信号などのＡＶ（Audio Visual）信号が入出力される。また、本体キャビネット１の右側面には、端子口部７の上方に、吸気口８が設けられている。吸気口８は多数のスリット状の孔によって構成されており、吸気口８を通じて外気が本体キャビネット１内に取り込まれる。
【００２７】
本体キャビネット１の左側面には、第１排気口９および第２排気口１０が設けられている。これら排気口９、１０は多数のスリット状の孔によって構成されており、これら排気口９、１０を通じて本体キャビネット１内部の空気が機外に排出される。また、本体キャビネット１の後面には、出音口１１が形成されている。出音口１１からは、投写時に映像
に対応する音声が出力される。
【００２８】
図２を参照して、キャビネット１の底面には、前部中央部に固定脚１２が設けられており、後端部に２つの調整脚１３が設けられている。２つの調整脚１３を上下に伸縮させることにより、本体キャビネット１の前後方向および左右方向の傾きが調整できる。これにより、スクリーンに投写された画像の上下の位置や左右の傾きが調整できる。
【００２９】
本実施の形態のプロジェクタでは、本体キャビネット１の底面が机や床等の設置面に設置される据え置き設置以外に、本体キャビネット１が上下逆さまにされて天井に設置される天吊り設置が可能である。
【００３０】
さらに、本実施の形態のプロジェクタでは、本体キャビネット１の前面が設置面に設置される縦置き設置が可能である。縦置き設置がなされた場合には、設置面自身に画像が投写される。縦置き設置を可能とするため、本体キャビネット１の前面はほぼ平坦な面とされており、前面には、端子パネル２４０や吸気口８が設けられておらず、縦置き設置の際に設置面に当接する４つの脚部１ｃが形成されている。
【００３１】
図３は、プロジェクタの内部構造を示す図である。同図は、前方から見た、上キャビネット３が取り外された状態の斜視図である。なお、便宜上、図３には、光変調ユニット１５および投写光学ユニット１７が点線にて描かれている。また、吸気口８の位置が一点鎖線にて示されている。
【００３２】
図３を参照して、下キャビネット２の前部には、ランプユニット１４と、ランプユニット１３からの光を変調して映像光を生成する光変調ユニット１５とが配されている。
【００３３】
ランプユニット１４は、光源ランプと、光源ランプを保持するランプホルダにより構成されており、上方から着脱できるよう配されている。ランプユニット１４の後方には、ファンユニット１６が配されている。ファンユニット１６は、吸気口８から取り込んだ外気（冷却風）を光源ランプに供給して、光源ランプを冷却する。ランプホルダには、ファンユニット１６からの冷却風を光源ランプへ導くための通風ダクトが設けられている。
【００３４】
光変調ユニット１５は、カラーホイールとＤＭＤ（デジタル・マイクロミラー・デバイス）とを含む。カラーホイールは、光源ランプからの白色光を、赤、緑、青等の各色光に時分割で分離する。ＤＭＤは、カラーホイールから出射された各色光を、映像信号に基づいて変調する。
【００３５】
光変調ユニット１５は、さらに、熱伝導性のよい金属材料からなるヒートシンク１５１を含む。ヒートシンク１５１は、光変調ユニット１５の前面全体をほぼ覆うような大きさを有しており、光変調ユニット１５の前面側、即ち、本体キャビネット１の前面近傍に配置されている。ヒートシンク１５１は、熱伝達部材（図示せず）介してＤＭＤに連結されている。
【００３６】
光変調ユニット１５の後方には、投写光学ユニット１７が配されている。投写光学ユニット１７は、光変調ユニット１５により生成された映像光を拡大し、スクリーン等の被投写面に投写する。
【００３７】
図４は、投写光学ユニット１７の構成を模式的に示す図である。なお、同図には、投写光学ユニット１７に加えて、光変調ユニット１５、制御回路ユニット２３およびノイズフィルタユニット２４が模式的に描かれている。
【００３８】
投写光学ユニット１７は、投写レンズユニット１０１と、反射ミラー１０２と、これら投写レンズユニット１０１および反射ミラー１０２を収容するハウジング１０３により構成されている。投写レンズユニット１０１は、複数のレンズ１０１ａを有している。反射ミラー１０２は、曲面ミラーあるいは自由曲面ミラーである。
【００３９】
図４に示すように、光変調ユニット１５から出射された映像光は、投写レンズユニット１０１の光軸Ｌから本体キャビネット１の上面方向にシフトした位置において、投写レンズユニット１０１に入射する。入射した映像光は、投写レンズユニット１０１によってレンズ作用を受け、反射ミラー１０２に入射する。その後、映像光は、反射ミラー１０２によって広角化され、光線通過窓１０４を介して、被投写面（スクリーン面）へ投写される。
【００４０】
上記のように、映像光は、投写レンズユニット１０１の光軸Ｌから本体キャビネット１の上面方向にシフトした位置において、投写レンズユニット１０１に入射するため、反射ミラー１０２は、投写レンズユニット１０１の光軸Ｌから本体キャビネット１の底面側にシフトするようにして配置される。ここで、反射ミラー１０２は、投写レンズユニット１０１を構成する各レンズのレンズ面よりも大きな反射面を有するため、投写レンズユニット１０１の光軸Ｌに対する反射ミラー１０２のシフト量は比較的大きなものとなる。このため、投写レンズユニット１０１の下方には、本体キャビネット１（下キャビネット２）の底面との間に、比較的大きな空間Ｓが生じる。この空間Ｓは、投写レンズユニット１０１の配置位置から光変調ユニット１５の配置位置にかけて生じる。
【００４１】
図３に戻り、ファンユニット１６の後方には、電源ユニット１８が配されている。電源ユニット１８は、電源回路を備えており、プロジェクタの各電装部品に電源の供給を行う。電源ユニット１８の後方には、スピーカー１９が配されている。スピーカー１９から出力された音声は、出音口１１より外部に放出される。
【００４２】
光変調ユニット１５の右方には、ＤＭＤ用冷却ファン２０が配されている。ＤＭＤ用冷却ファン２０は、吸気口８から取り込んだ外気を、ヒートシンク１５１に供給する。ＤＭＤから発せられた熱は、ヒートシンク１５１に伝わり、ヒートシンク１５１から放出される。これにより、ＤＭＤが冷却される。
【００４３】
ランプユニット１４の左方には、ランプ用排気ファン２１が設けられている。ランプ用排気ファン２１は、光源ランプを冷却した後の冷却風を取り込み、第１排気口９を通じて外部に排出する。
【００４４】
電源ユニット１８の左方には、電源用排気ファン２２が設けられている。電源用排気ファン２２は、電源ユニット１８内の温まった空気を取り込み、第２排気口１０を通じて外部に排出する。電源ユニット１８内から電源用排気ファン２２へ空気が流れることにより、新たな外気が吸気口８から取り込まれて電源ユニット１８内へ供給される。
【００４５】
さて、図３および図４に示すように、本実施の形態のプロジェクタでは、投写レンズユニット１０１と光変調ユニット１５の下方に生じた上記空間Ｓに、制御回路ユニット２３およびノイズフィルタユニット２４が配されている。
【００４６】
ノイズフィルタユニット２４は、ノイズフィルタやヒューズが配された回路基板を備えており、入力された商用交流電源からノイズを除去して電源ユニット１８に供給する。
【００４７】
図５から図７は、制御回路ユニット２３の構成を示す図である。図５（ａ）は、メイン制御基板２１０および拡張インターフェイス基板２２０が、ホルダ２５０に組み込まれる
前の状態を示す斜視図である。図５（ｂ）は、メイン制御基板２１０および拡張インターフェイス基板２２０が、ホルダ２５０に組み込まれた状態を示す斜視図である。図６は、下方から見たホルダ２５０の平面図である。図７は、メイン制御基板２１０および拡張インターフェイス基板２２０が、ホルダ２５０に組み込まれた状態を示す斜視図であって、カラーホイール用冷却ユニット２６０が見えるように、ホルダ２５０の内部を透視した図である。図７では、ホルダ２５０が、二点鎖線で示されている。
【００４８】
図５から図７を参照して、制御回路ユニット２３は、メイン制御基板２１０と、拡張インターフェイス基板２２０と、固定板２３０と、端子パネル２４０と、ホルダ２５０と、カラーホイール用冷却ユニット２６０により構成されている。
【００４９】
メイン制御基板２１０には、光源ランプやＤＭＤなどの各種駆動部品を制御するための制御回路が配されている。また、メイン制御基板２１０の右端部には、各種の端子２１１が配されており、中央付近には、ＤＭＤ用配線基板１５ａとの接続を行うためのコネクタ２１２が配されている。
【００５０】
メイン制御基板２１０には、４つのコーナー部と、前側の２つのコーナー部の間と、後側の２つのコーナー部の間の合計６か所に取付孔２１３が形成されている。また、左後のコーナー部を除く３つのコーナー部の取付孔２１３の隣には、位置決め孔２１４が形成されている。なお、図５（ａ）では、右前のコーナー部の取付孔２１３および位置決め孔２１４が端子パネル２４０により隠れた状態となっている。
【００５１】
拡張インターフェイス基板２２０には、メイン制御基板２１０に配されていない残りの端子２２１が配されている。
【００５２】
固定板２３０は、金属材料で形成されており、固定部２３１とシールド部２３２とが上下に一体形成されている。固定部２３１には、一方の面に、インターフェイス基板２２０とメイン制御基板２１０が上下に並ぶように固定されているとともに、他方の面に、端子パネル２４０が固定されている。シールド部２３２には、多数の開口２３２ａが形成されており、各開口２３２ａには、金網（図示せず）が装着されている。図３に示すように、制御回路ユニット２３が本体キャビネット１に取り付けられると、シールド部２３２が吸気口８の内側に配される。吸気口８から取り込まれた外気は、開口２３２ａを通って本体キャビネット１内部に流入する。シールド部２３２は、吸気口８から外部に漏れようとする電磁波を遮蔽する。
【００５３】
端子パネル２４０には、各端子２１１、２２１の形状に合わせた開口が形成されており、これら開口を通じて、各端子２１１、２２１が外部に臨む。なお、図示されていないが、固定板２３０の固定部２３１にも、各端子２１１、２２１が通る開口が形成されている。
【００５４】
ホルダ２５０は、金属材料（たとえば、アルミニウム）で形成されており、上面板２５１と、上面板２５１の前後両側に形成された前面板２５２および後面板２５３を有する。
【００５５】
上面板２５１には、ＤＭＤ用配線基板１５ａを通すための開口２５４と、投写光学ユニット１７の入射端側の底部を収容するための開口２５５が形成されている。図６に示すように、前面板２５２および後面板２５３には、メイン制御基板２１０の６つの取付孔２１３に対応する６つの取付片２５６が形成されている。各取付片２５６には、取付孔２５６ａが形成されている。また、前面板２５２の両側２つの取付片２５６と後面板２５３の右端の取付片２５６には、それぞれ、メイン制御基板２１０の位置決め孔２１４に対応する位置決め突起２５６ｂが形成されている。
【００５６】
さらに、前面板２５２および後面板２５３の左端部には、それぞれ、ホルダ２５０を本体キャビネット１への取り付けるための取付片２５７が形成されている。これら取付片２５７にも、取付孔２５７ａが形成されている。
【００５７】
図５（ａ）に示すように、メイン制御基板２１０および拡張インターフェイス基板２２０は、上面板２５１、前面板２５２および後面板２５３に囲まれた収容領域に下方から収容される。収容領域内の所定位置まで収容されると、メイン制御基板２１０が６つの取付片２５６に下側から当接し、メイン制御基板２１０の３つの位置決め孔２１４が、それぞれ、対応する取付片２５６の位置決め突起２５６ｂに挿入される。これにより、メイン制御基板２１０の６つの取付孔２１３が、それぞれ、対応する取付片２５６の取付孔２５６ａに整合する。メイン制御基板２１０の６つの取付孔２１３のうち、中央部分にある２つの取付孔２１３と、それらに対応する取付片２５６との間でネジ止めがなされる。これにより、図５（ｂ）に示すように、メイン制御基板２１０および拡張インターフェイス基板２２０がホルダ２５０に固定され、制御回路ユニット２３が組み立てられた状態となる。なお、この時点では、メイン制御基板２１０の４つのコーナー部にある取付孔２１３と、それに対応する取付片２５６との間でのネジ止めは行われない。
【００５８】
ホルダ２５０の上面に光変調ユニット１５（図５（ｂ）には図示せず）が装着されると、図５（ｂ）に示すように、ＤＭＤに接続されたＤＭＤ用配線基板１５ａが、開口２５４を通じてホルダ２５０の収容領域内に挿入される。そして、ＤＭＤ用配線基板１５ａに設けられたコネクタ（図示せず）が、メイン制御基板２１０のコネクタ２１２に接続される。ＤＭＤ用配線基板１５ａには、ＤＭＤへの信号線が配されており、メイン制御基板２１０に配されたＤＭＤ用のドライバーからの駆動信号が信号線を通じてＤＭＤへ送られる。
【００５９】
なお、運転中、メイン制御基板２１０から電磁波が放出され得るが、ホルダ２５０が金属材料で形成されているため、ホルダ２５０によって電磁波を遮蔽することができる。
【００６０】
カラーホイール用冷却ユニット２６０は、メイン制御基板２１０および拡張インターフェイスユニット２２０が組み込まれる前に、ホルダ２５０内に組み込まれている。図７に示すように、カラーホイール用冷却ユニット２６０は、遠心ファンである冷却ファン２６１と、冷却ファン２６１に接続された送風ダクト２６２により構成されている。冷却ファン２６１と送風ダクト２６２は、ともにホルダ２５０の上面板２５１の裏面に取り付けられている。送風ダクト２６２が上面板２５１に取り付けられると、送風ダクト２６２の先端部分に２つの吹出口２６２ａが形成される。これら吹出口２６２ａの上方には、光源ユニット１５に設けられたカラーホイールが位置している。冷却ファン２６１からの冷却風は、送風ダクト２６２を通り、吹出口２６２ａから上方のカラーホイールに向けて吹き出す。これにより、カラーホイールが冷却される。
【００６１】
図８は、光学ユニットＵの構成を示す図である。また、図９は、光学ユニットＵが取り付けられる前の本体キャビネット１の状態を示す図である。
【００６２】
図８に示すように、制御回路ユニット２３のホルダ２５０には、ネジ止め等の適宜の固定方法によって、ランプユニット１４、光変調ユニット１５、投写光学ユニット１７、ファンユニット１６およびＤＭＤ用冷却ファン２０が固定される。こうして、制御回路ユニット２３、ランプユニット１４、光変調ユニット１５、投写光学ユニット１７、ファンユニット１６およびＤＭＤ用冷却ファン２０が一体化され、一つの光学ユニットＵが構成される。
【００６３】
図９に示すように、光学ユニットＵを固定するため、下キャビネット２には、メイン制
御基板２１０を組み込む際にネジ止めがなされてないホルダ２５０の４つの取付片２５６に対応する４つの取付部２５と、ホルダ２５０の左端部の２つの取付片２５７に対応する２つの取付部２６と、投写光学ユニット１７のハウジング１０３に設けられた図示しない取付片に対応する１つの取付部２７が設けられている。
【００６４】
光学ユニットＵは、上記７つの取付片２５６、２５７が、それぞれに対応する７つの取付部２５、２６、２７にネジ止めされることにより、図３のように、下キャビネット２（本体キャビネット１）の底面に固定される。なお、上述のように、４つの取付片２５６の取付孔２５６ａには、メイン制御基板２１０の取付孔２１３が整合している。このため、取付部２５には、取付片２５６とともにメイン制御基板２１０がネジ止めされる。これにより、メイン制御基板２１０は、合計６か所でネジ止め固定され、ホルダ２５０に強固に固定される。
【００６５】
光学ユニットＵが本体キャビネット１の底面に固定された状態において、光変調ユニット１５および投写光学ユニット１７は、ホルダ２５０により、本体キャビネット１の底面に対して支持された状態となる。
【００６６】
メイン制御基板２１０が破損した場合には、メイン制御基板２１０をホルダ２５０から取り外して、修理したり、新たなメイン制御基板２１０に交換したりする必要がある。この場合、作業者（サービスマン）は、光学ユニットＵを固定している７か所のネジを取り外して、光学ユニットＵを本体キャビネット１から取り外す。しかる後、２か所のネジを外して、ホルダ２５０からメイン制御基板２１０を取り外す。
【００６７】
このように、本実施の形態では、まず、制御回路ユニット２３の上方にある光変調ユニット１５や投写光学ユニット１７を本体キャビネット１から取り外し、しかる後に、制御回路ユニット２３を本体キャビネット１から取り外すという、手間数の多い作業を行う必要がない。よって、メイン制御基板２１０の交換を容易に行うことができる。
【００６８】
本実施の形態のプロジェクタでは、上述したように、縦置き設置を行うことにより、机や床などの設置面自身に画像を投写することができる。
【００６９】
図１０は、プロジェクタが縦置き設置された状態を示す図である。図１０（ａ）は、右側面側からプロジェクタを見た図である。図１０（ｂ）は、設置面側からプロジェクタを見た模式的な図である。
【００７０】
本実施の形態では、投写レンズユニット１０１と反射ミラー１０２の位置のずれに起因して投写レンズユニット１０１と本体キャビネット１の底面との間に生じる空間Ｓに、制御回路ユニット２３が配置されている。このため、図１０（ａ）に示すように、反射ミラー１０２が配置された側とは反対側のプロジェクタ本体部分、即ち、縦置き設置された際のプロジェクタ本体下部において、反射ミラー１０２のシフト方向（図１０（ａ）の前後方向）における幅Ｗを広くすることができる。
【００７１】
また、制御回路ユニット２３は、金属製のホルダ２５０と、その内部に配されたメイン制御基板２１０、拡張インターフェイス基板２２０およびカラーホイール用冷却ユニット２６０とを含んでおり、その重量が比較的大きなものとなっている。また、光変調ユニット１５には、ヒートシンク１５１が設けられており、光変調ユニット１５の重量も比較的大きなものとなっている。よって、本実施の形態では、縦置き設置された際のプロジェクタ本体下部の重量を大きくすることができる。これにより、図１０（ａ）に示すように、上方に比較的重量が大きな反射ミラー１０２が配されていても、重心Ｇの上下方向における位置を低くすることができる。
【００７２】
ここで、図１０（ａ）、（ｂ）に示すように、重心Ｇを頂点とする直円錐Ｃを、重心Ｇと設置面との間で描く。この直円錐Ｃは、図１０（ｂ）に示すように、その底面が、４つ脚部１ｃによる支持点Ｐで囲まれた領域Ｒを越えない最も大きな直円錐とする。プロジェクタがどの方向に傾いても、そのときの傾き角が、図１０（ａ）に示す、重心Ｇを通る垂線Ｖと直円錐Ｃの円錐面とがなす角度θ（以下、「許容傾き角θ」と称する）以内であれば、重心Ｇが上記領域Ｒから外れないため、プロジェクタが転倒しない。
【００７３】
本実施の形態では、上述のように、幅Ｗを広くすることができ、かつ、重心Ｇの上下方向における位置を低くすることができるので、許容傾き角θを大きくすることができる。よって、プロジェクタを縦置き設置する場合に、専用のスタンド等を用いなくても、安定した設置を行うことが可能となる。
【００７４】
なお、図１０（ａ）に示すように、重心Ｇ´の位置が、上下方向において高くなった場合には、許容傾き角θ´が小さくなり、プロジェクタが傾いたときに、プロジェクタが転倒しやすくなる。また、投写レンズユニット１０１と本体キャビネット１の底面との間に生じる空間Ｓに制御回路ユニット２３が配されない場合には、幅Ｗが小さくなるため、許容傾き角θが小さくなり、プロジェクタが傾いたときに、プロジェクタが転倒しやすくなる。
【００７５】
以上、本発明の実施の形態について説明したが、本発明は、上記実施の形態に限定されるものではない。また、本発明の実施の形態も、特許請求の範囲に示された技術的思想の範囲内において、適宜、種々の変更が可能である。
【００７６】
たとえば、上記実施の形態では、光変調ユニット１５にヒートシンク１５１が設けられ、ヒートシンク１５１によってＤＭＤの冷却を行う構成とされている。しかしながら、必ずしも、光変調ユニット１５にヒートシンク１５１が設けられなくても良く、ＤＭＤに直接、送風がなされる構成とされても良い。勿論、光変調ユニット１５にヒートシンク１５１が設けられれば、縦置き設置がなされた際に、重心Ｇの上下方向における位置を一層低くすることができる。よって、上記実施の形態のような構成とすることがより望ましい。
【００７７】
また、上記実施の形態では、ホルダ２５０の内部に、カラーホイール用冷却ユニット２６０が配される構成とされている。しかしながら、必ずしも、ホルダ２５０の内部にカラーホイール用冷却ユニット２６０が配されなくても良い。勿論、ホルダ２５０の内部にカラーホイール用冷却ユニット２６０が配されれば、縦置き設置がなされた際に、重心Ｇの上下方向における位置を一層低くすることができる。よって、上記実施の形態のような構成とすることがより望ましい。
【００７８】
さらに、上記実施の形態では、光変調ユニット１５を構成する光変調素子としてＤＭＤが用いられているが、これに限らず、液晶パネルが用いられても良い。
【００７９】
また、上記実施の形態では、光源ランプを有するランプユニット１４が用いられているが、ランプ光源以外の光源、たとえば、レーザ光源やＬＥＤ光源が用いられても良い。
【００８０】
さらに、上記実施の形態では、ホルダ２５０には、メイン制御基板２１０とともに、拡張インターフェイス基板２２０が保持されている。しかしながら、これに限らず、拡張インターフェイス基板２２０に加えて、あるいはこれに替えて、他の回路基板、たとえば、通信回路基板が、メイン制御基板２１０とともにホルダ２５０に保持されるようにしても良い。なお、通信回路基板には、パソコン等の他の機器とプロジェクタ間で通信を行うための通信回路が配される。
【符号の説明】
【００８１】
１  本体キャビネット
１４  ランプユニット（光源）
１５  光変調ユニット（光変調部）
１５１  ヒートシンク
１７  投写光学ユニット（投写部）
１０１  投写レンズユニット（投写レンズ部）
１０２  反射ミラー（ミラー部）
２３  制御回路ユニット
２１０  メイン制御基板（制御回路部）
２２０  拡張インターフェイス基板（制御回路部）
２５０  ホルダ（保持部材）
２６０  カラーホイール用冷却ユニット（送風部）
【図１】
2011237727.tif 000003
【図２】
2011237727.tif 000004
【図３】
2011237727.tif 000005
【図４】
2011237727.tif 000006
【図５】
2011237727.tif 000007
【図６】
2011237727.tif 000008
【図７】
2011237727.tif 000009
【図８】
2011237727.tif 000010
【図９】
2011237727.tif 000011
【図１０】
2011237727.tif 000012